(57)【特許請求の範囲】
【請求項１】
複数色のインクにより画像を印刷した後に、当該画像の上に特殊色のインクによる印刷を行う印刷装置であって、
画像処理装置から画像データを受信する受信手段と、
前記受信手段により受信した画像データに基づいて画像の印刷を行う印刷手段であって、前記画像データに基づいて前記複数色のインクによる画像の印刷を行い、当該画像の印刷上に、前記画像データから予め定められた特定の色を表すデータを抽出することにより生成した印刷データに基づいて前記特殊色のインクによる印刷を行う印刷手段と、
を有することを特徴とする印刷装置。
【請求項２】
前記予め定められた特定の色を表すデータは、白を表すデータであることを特徴とする請求項１に記載の印刷装置。
【請求項３】
前記予め定められた特定の色を表すデータは、所定の階調を表すデータであることを特徴とする請求項１に記載の印刷装置。
【請求項４】
前記予め定められた特定の色を表すデータは、階調が０であることを示すデータであることを特徴とする請求項３に記載の印刷装置。
【請求項５】
前記特殊色は、ゴールド、シルバー、メタリック及び蛍光色からなる群から選択された少なくとも１種の色であることを特徴とする請求項１に記載の印刷装置。
【請求項６】
前記画像処理装置から、前記予め定められた特定の色を表すデータを識別するための識別情報を受信する識別情報受信手段を有し、
前記印刷手段は、前記受信手段により受信した画像データから、前記識別情報により特定される前記予め定められた特定の色を表すデータを抽出して前記特殊色のインクを印刷するための印刷データを生成することを特徴とする請求項１に記載の印刷装置。
【請求項７】
前記印刷手段は、前記複数色のインクにより画像を印刷し、前記特殊色のインクによりフレームを印刷することを特徴とする請求項１に記載の印刷装置。
【請求項８】
複数色のインクにより画像を印刷した後に、当該画像の上に特殊色のインクによる印刷を行う印刷方法であって、
画像処理装置から画像データを受信する受信ステップと、
前記受信ステップにおいて受信した画像データに基づいて画像の印刷を行う印刷ステップであって、前記画像データに基づいて前記複数色のインクによる画像の印刷を行い、当該画像の印刷上に、前記画像データから予め定められた特定の色を表すデータを抽出することにより生成した印刷データに基づいて前記特殊色のインクによる印刷を行う印刷ステップと、
を有することを特徴とする印刷方法。
【請求項９】
複数色のインクにより画像を印刷した後に、当該画像の上に特殊色のインクによる印刷を行う印刷装置の制御をコンピュータに行わせるプログラムであって、
前記コンピュータに、
画像処理装置から画像データを受信する受信ステップと、
前記受信ステップにおいて受信した画像データに基づいて画像の印刷を行う印刷ステップであって、前記画像データに基づいて前記複数色のインクによる画像の印刷を行い、当該画像の印刷上に、前記画像データから予め定められた特定の色を表すデータを抽出することにより生成した印刷データに基づいて前記特殊色のインクによる印刷を行う印刷ステップと、
を実行させることを特徴とするプログラム。
【請求項１０】
複数色のインクにより画像を印刷した後に、当該画像の上に特殊色のインクによる印刷を行う印刷装置の制御をコンピュータに行わせるプログラムを記録した記録媒体であって、
前記コンピュータに、
画像処理装置から画像データを受信する受信ステップと、
前記受信ステップにおいて受信した画像データに基づいて画像の印刷を行う印刷ステップであって、前記画像データに基づいて前記複数色のインクによる画像の印刷を行い、当該画像の印刷上に、前記画像データから予め定められた特定の色を表すデータを抽出することにより生成した印刷データに基づいて前記特殊色のインクによる印刷を行う印刷ステップと、
を実行させるプログラムを記録したコンピュータ読み取り可能な記録媒体。
【発明の詳細な説明】
【技術分野】
【０００１】
本発明は、スチルカメラ又はビデオカメラ等によって撮像された画像データに対してフレームデータを合成して印刷するのに好適な印刷装置及び印刷方法等に関する。
【背景技術】
【０００２】
従来、印刷用紙として感熱型の用紙を用い、主走査方向に配列された複数個の発熱体を選択的に駆動して、用紙を副走査方向に搬送させながら、用紙にドットライン状に印刷を行うライン熱転写方式のプリンタが存在する。
【０００３】
近年、デジタルカメラ、デジタルビデオカメラ及びスキャナ等の画像を扱う機器の進歩に伴い、これらの機器から送信された画像データの印刷を行う熱転写方式のプリンタも注目されている。
【０００４】
汎用されているプリンタとしては、熱転写方式のプリンタの他に、インクジェットプリンタも存在する。但し、インクジェットプリンタでは、液滴を飛ばすか飛ばさないか、という２値の選択しかできないため、小さな液滴を用紙へ着弾させて、誤差拡散等の手法でみかけの解像度と階調性を得ようとしている。
【０００５】
これに対し、熱転写方式のプリンタでは、一つの画素に制御可能な熱の値を容易に変更できる。このため、一つの画素に対する階調性を多く確保することが可能である。従って、熱転写方式のプリンタによれば、インクジェットプリンタに比べて滑らかで高画質な画像を得ることができる。
【０００６】
また、サーマルヘッドの性能及び用紙材料の性能も向上しており、印刷された写真等の画質も銀塩写真に見劣りしない程度となっている。このため、熱転写方式のプリンタは、近年のデジタルカメラの進歩に歩調を合わせるように特に自然画像用のプリンタとして注目されている。
【０００７】
更に、熱転写方式のプリンタと、デジタルカメラ及びデジタルビデオカメラ等の撮影機器とを直接的に接続させる印刷システムも登場している。また、熱転写方式のプリンタと撮影機器とを一体的に構成した印刷システムも登場している。これらの印刷システムによれば、コンピュータ等の画像情報を処理する機器を介在させずに、撮影した画像情報の印刷を行うことが可能となる。この結果、デジタルカメラ及びデジタルビデオからの画像情報のプリントアウトを容易に行うことが可能になり、大変便利である。
【０００８】
このような印刷システムに関連し、デジタルカメラとプリンタとの間での電力の制御に関する技術が特許文献１に記載されている。この技術では、デジタルカメラがプリンタから電力の供給を受けられるように構成されている。このため、デジタルカメラの電源の残量をユーザが気にすることなくプリントの実行が可能となる。
【０００９】
また、プリント時の低消費電力化に関する技術が特許文献２に記載されている。この技術では、プリント中には電子ビューファインダへの電力供給をしないこととされている。このため、節電に効果を発揮する。
【００１０】
また、画像データの転送に関し、多階調のデジタルデータと２値化信号とを一度に転送する技術が特許文献３に記載されている。所定の階調のデジタル画像データにおける最下位ビットを２値化信号に割り当て、前記最下位ビット以外を多階調デジタルデータに割り当てることとなる。この結果、多階調のデジタル画像に２値化信号を重畳した状態で、デジタル画像データが転送される。
【００１１】
【特許文献１】特開平１０−２４３３２７号公報
【特許文献２】特開平９−６５１８２号公報
【特許文献３】特開平５−１２８２４５号公報
【発明の開示】
【発明が解決しようとする課題】
【００１２】
しかしながら、特許文献３に記載の技術では、多階調デジタル画像データの転送データが１ビット分だけ少なくなってしまうことは避けられず、近年の高画質化の要請に反する結果しか得られない。
【００１３】
また、従来のプリンタでは、フレームデータとして、ゴールド等の特殊色を印刷することは考慮されておらず、そのための画像データの送受信に関する技術もほとんどない。仮に、通常の画像を印刷した後に特殊色の印刷を行うこととすると、先に印刷を行った通常の画像が透けてくることが考えられる。
【００１４】
本発明は、特殊色を用いてフレームの印刷を行う場合であっても、画像処理装置と印刷装置との間で送受信されるデータの量を抑えて短時間での送受信を行うことができる印刷装置及び印刷方法等を提供することを目的とする。
【課題を解決するための手段】
【００１５】
本願発明者は、前記課題を解決すべく鋭意検討を重ねた結果、以下に示す発明の諸態様に想到した。
【００１７】
本発明に係る印刷装置は、複数色のインクにより画像を印刷した後に、当該画像の上に特殊色のインクによる印刷を行う印刷装置であって、画像処理装置から画像データを受信する受信手段と、前記受信手段により受信した画像データに基づいて画像の印刷を行う印刷手段であって、前記画像データに基づいて前記複数色のインクによる画像の印刷を行い、当該画像の印刷上に、前記画像データから予め定められた特定の色を表すデータを抽出することにより生成した印刷データに基づいて前記特殊色のインクによる印刷を行う印刷手段と、を有することを特徴とする。
【発明の効果】
【００１８】
本発明によれば、画像処理装置と印刷装置との間で画像データ及びフレームデータが送受信される際に、フレームデータが所定の色データに変換され、これが印刷装置において抽出される。このため、画像データ及びフレームデータを一度に送受信することができ、データ量の増大を抑制することができる。
【発明を実施するための最良の形態】
【００１９】
以下、本発明の実施形態について添付の図面を参照して具体的に説明する。
【００２０】
（第１の実施形態）
先ず、本発明の第１の実施形態について説明する。図１は、本発明の第１の実施形態に係るプリンタ及びこれに画像データを送信するデジタルカメラの構成を示すブロック図である。
【００２１】
デジタルカメラ３１には、ＣＰＵ３２、内部記憶部３３、外部記憶部３４、画像処理部３６、及び画像転送のためのインターフェース３５が設けられている。また、ＣＰＵ３２、内部記憶部３３、外部記憶部３４、画像処理部３６及びインターフェース３５を互いに接続するシステム・バス３７も設けられている。
【００２２】
このように構成されたデジタルカメラでは、ＣＰＵ３２の制御により、撮像素子（図示せず）等により得られた画像データが、適宜内部記憶部３３を用いながら画像処理部３６により処理される。そして、ＣＰＵ３２の制御により、処理後の画像データが、例えば外部記憶部３４に記憶される。
【００２３】
プリンタ４０には、画像印刷部４１、画像処理部４２、画像転送のためのインターフェース４３、ＣＰＵ４４、内部記憶部４５及び外部記憶部４６が設けられている。また、画像印刷部４１、画像処理部４２、画像転送のためのインターフェース４３、ＣＰＵ４４、内部記憶部４５及び外部記憶部４６を互いに接続するシステム・バス４７も設けられている。
【００２４】
このように構成されたプリンタでは、ＣＰＵ４４の制御により、例えば外部記憶部３４に記憶されている画像データが、適宜内部記憶部４５を用いながら画像処理部４２により処理される。そして、ＣＰＵ４４の制御により、処理後の画像データが画像印刷部４１により印刷される。
【００２５】
また、デジタルカメラ３１のインターフェース３５及びプリンタ４０のインターフェース４３はケーブル３８を介して互いに接続可能となっており、デジタルカメラ３１及びプリンタ４０間での画像データ等の送受信が可能となっている。従って、プリンタ４０は、デジタルカメラ３１から送信された画像データをそのまま印刷することも可能である。
【００２６】
次に、デジタルカメラ３１において作成される画像データの例について説明する。図２は、デジタルカメラ３１の表示部及び操作部を示す模式図である。デジタルカメラ３１には、例えば筐体のレンズとは反対側の外面に、表示部及び操作部が設けられている。表示部には、撮像された画像及びこれに合成することが可能なフレーム等が表示される。図２に示す例では、花の画像と、これに合成することが可能な４種類のフレームが表示されている。また、４種類のフレームのうちの１種（左上に位置するフレーム）が選択された状態が示されている。この状態で、「ＳＥＴ」と付されたボタンが押されると、選択されているフレームを合成することが決定される。つまり、画像と１種類のフレームとが合成された画像データが作成される。
【００２７】
なお、本実施形態では、デジタルカメラ３１の画像データは、各色８ビット２５６階調で表現可能となっているが、当該画像データがプリンタ４０に送信される際には、２５５階調に変換される。このとき、階調０の色データが階調１として表現されるか、又は階調２５５の色データが階調２５４として表現される。そして、図３（ａ）又は（ｂ）に示すように、階調０又は階調２５５の色データがフレーム識別ＩＤとして用いられる。つまり、色データの一部がフレーム識別ＩＤとして用いられる。フレーム識別ＩＤとして用いられる階調がどちらであるかは、デジタルカメラ３１の内部記憶部３３に記憶されている。また、この情報は、プリンタ４０の内部記憶部４５にも記憶されている。つまり、フレーム識別ＩＤとして用いられる階調の値が内部記憶部３３及び４５により共有されている。ここで、フレーム識別ＩＤとは、撮像された画像のデータそのものではなく、フレーム識別ＩＤで表現されている画像データの部分にはフレームデータが割り当てられることを示すための識別標識である。
【００２８】
次に、デジタルカメラ３１において作成されたフレームデータを含む画像データをプリンタ４０に送信する方法について説明する。図４は、本発明の第１の実施形態におけるデジタルカメラ３１からプリンタ４０への画像データの送信方法を示すフローチャートである。なお、以下に示すデジタルカメラ３１の動作は、主にＣＰＵ３２により、画像処理装置のプログラムメモリから読み出されたプログラムに基づいて制御される。
【００２９】
先ず、デジタルカメラ３１がプリンタ４０に接続されると（ステップＳ１１）、ＣＰＵ３２が、ケーブル３８を介してプリンタ４０からプリンタ情報を取得する（ステップＳ１２）。プリンタ情報には、例えば、用紙の種類、カートリッジの種類、電源の状態等が含まれる。
【００３０】
次いで、ステップＳ１３では、ユーザがデジタルカメラ３１において所望の画像を選択し、更にデジタルカメラ３１のモードをフレーム合成モードに設定すると、所望のフレームを選択し、決定することができる。この一連のユーザによる操作では、例えば図２に示す映像が表示される。この時、ＣＰＵ３２は、ユーザに画像を選択させるために、デジタルカメラの表示部に外部記憶部に記録されている画像を表示させ、表示されている画像の中から印刷する画像を選択させる。また、フレーム選択の際には、内部記憶部３３又は外部記憶部３４に記録されているフレームデータを読み出して、読み出したフレームデータの中から印刷に使用するフレームデータをユーザに選択させる。選択させるフレームは、特色を用いたフレームでもよいし、普通色のフレームでもよい。
【００３１】
その後、ＣＰＵ３２が、印刷開始命令を取得したことを契機にして（ステップＳ１４）、ＹＵＶデータから印刷用のＹＭＣデータを作成し、このＹＭＣデータを内部記憶部３３に記憶させる（ステップＳ１５）。このＹＭＣデータは、画像を印刷する際に使用する、イエロー（Ｙ）、マゼンダ（Ｍ）、シアン（Ｃ）のそれぞれの色毎の色データで、それぞれの色の階調を示すデータにより構成されている。
【００３２】
続いて、画像処理部３６がＹＭＣデータと、ステップＳ１３において決定されたフレームに該当するフレームデータとを合成する（ステップＳ１６）。このとき、フレームデータが配置される部分には、内部記憶部３３に記憶されているフレーム識別ＩＤを割り当てる。ここでは、フレーム識別ＩＤを０とする。即ち、画像処理部３６は、フレームデータと画像データを合成する際に、フレームデータが割り当てられる画素は階調０とする。そして、フレーム部分ではない画像データ部分でもとは階調０であった画素は階調１に変換する。このような処理を行い画像処理部３６はフレームデータを合成したＹＭＣデータを作成する。もし、フレーム識別ＩＤが２５５と記憶されていた場合は、画像データ部分の階調２５５の色データを階調２５４の色データに変換する。また、フレーム部分の画素を階調２５５とする。このようにして、フレームデータを合成した画像データを生成する。
【００３３】
次いで、ＣＰＵ３２が、ケーブル３８を介してステップＳ１６における合成後の画像データをインターフェース３５を介してプリンタ４０に転送（送信）する（ステップＳ１７）。
【００３４】
その後、ＣＰＵ３２が、Ｙ、Ｎ及びＣの３色分の色データの転送が終了したか判断する（ステップＳ１８）。そして、３色分の転送が終了していない場合には、ステップＳ１５からステップＳ１７までの処理を繰り返す。
【００３５】
一方、既に３色分の転送が終了している場合には、ＣＰＵ３２が、図１４に示すような制御情報をプリンタ４０に送信する（ステップＳ１９）。このとき、制御情報には、フレーム識別ＩＤが含まれていてもよい。また、本実施形態ではフレームデータは単色であるが、プリンタの特色が複数色有り、フレームデータも複数の特色から構成されている場合は、複数色に対して異なるフレーム識別ＩＤを割り当てる。この場合、フレーム識別ＩＤに対応する特色の色が分かるように、フレーム識別ＩＤと特色を対応づけた情報を作成し、制御情報としてプリンタに送信する。
【００３６】
続いて、ＣＰＵ３２が、プリンタ４０からの印刷を終了したことを示す通知の受信を契機にして（ステップＳ２０）、表示部に印刷が終了したことを表示する（ステップＳ２１）。
【００３７】
このようにして、デジタルカメラ３１において作成されたフレームデータを含む画像データのプリンタ４０への送信が行われる。
【００３８】
次に、プリンタ４０の詳細について説明する。図５は、本発明の第１の実施形態に係るプリンタ４０の構成を示すブロック図である。先ず、プリンタ４０の機械的な構成及び動作について説明する。
【００３９】
ユーザ又はデジタルカメラ３１から印刷開始の指示があると、記録用紙Ｐを積載した用紙カセット２から給紙ローラ３で一枚ずつ記録用紙Ｐが分離給送される。この際、記録用紙Ｐは給紙時にバネ１９によって付勢された押上げ板２０によって給紙ローラ３に当接する。記録用紙Ｐは記録用紙Ｐの紙の反りによる給紙不良を防ぐため、反りを矯正できる程度の作用力の用紙押さえバネ１４によって押さえられている。
【００４０】
給紙ローラ３によって搬送された記録用紙Ｐは、ピンチローラ４−２及びグリップローラ４−１からなる搬送ローラ対４で挟持搬送されて、画像印刷部４１を往復可能にしている。グリップローラ４−１には、ステッピングモータ（図示せず）の出力軸が減速機構を介してして直結され、このステッピングモータの回転制御により、グリップローラ４−１が正逆自在に駆動される。記録用紙Ｐは、搬送ローラ対４によりしっかりと挟持され、往復搬送されるので、記録用紙Ｐもステッピングモータの回転制御により、正確に位置制御され、搬送される。画像印刷部４１においては記録用紙搬送経路を挟んでプラテンローラ５と、印刷データに応じて発熱するサーマルヘッド６とが互いに対向している。印刷データは、画像供給装置であるデジタルカメラ３１から受信した画像データに基づいて処理回路１８により生成される。処理回路１８には、ＣＰＵ４４、画像処理部４２、インターフェース４３、内部記憶部４５及び外部記憶部４６等が含まれている。
【００４１】
インクカセット７には、インクシート８が収納されている。インクシート８には、熱昇華性インクを塗布した３色（イエロー（Ｙ）、マゼンダ（Ｍ）、及びシアン（Ｃ））のインク層、並びに印刷面を保護するために印刷面上にオーバーコートされる保護層（ＯＰ）が含まれている。更に、本実施形態では、インクシート８に、特にフレームの印刷に好適なゴールド、シルバー、メタリック及び蛍光色等の熱溶融インクの特色インク層も含まれている。これらのインク層、保護層及び特色インク層は互いに並べて配置されている。そして、印刷時には、これらの各層がサーマルヘッド６によって記録用紙Ｐに転写される。サーマルヘッド６は、発熱体を選択的に加熱することにより、インク層を転写させ記録用紙Ｐに画像を記録し、その後、保護層をオーバーコートする。更に、オーバーコートの後に熱溶融インクの特色インク層を転写する。これらの動作の制御の詳細については後述する。なお、インクシート８は供給側７−２からサーマルヘッド６に供給され、使用済みのインクシート８が巻取側７−１へ巻き取られる。また、インクシート８のサイズは、記録用紙Ｐの印刷領域を覆ってそのサイズと略等しいサイズである。各層ずつ熱転写しては、記録用紙Ｐを記録開始位置Ｐ１に戻し、上述のように、記録用紙Ｐ上に順次重ねて各層が転写される。つまり、記録用紙Ｐは搬送ローラ対４により、各色インク層、保護層及び特色インク層の数に応じて画像印刷部４１を往復する。記録用紙Ｐが往復搬送される際は、印刷後の記録用紙Ｐはプリンタ４０前方で搬送経路切替シート１６によって搬送路が切り替えられ、ガイド部１５に沿って排出方向へ導紙される。
【００４２】
排紙トレイ部２６は、用紙カセット２の蓋と、印刷後に排紙された記録用紙Ｐのトレイとを兼用しており、開閉可能に構成されている。従って、排紙トレイ部２６を開けば用紙交換を行うことが可能である。用紙押さえバネ１４は排紙トレイ部２６の内側の左右２箇所に配設されている。各インク層の印刷終了後に記録用紙Ｐは排紙ローラ９へ案内され、プリンタ４０前方に向かって排出され記録動作が終了する。
【００４３】
また、印刷用のサーマルヘッド６はヘッドアーム２２に一体的に具備されており、インクカセット７を交換する場合にはインクカセット７の抜き差しに支障ない位置まで退避する。
【００４４】
また、給紙ローラ３から搬送ローラ対４を見て、搬送ローラ対４の近傍の位置に、記録紙先端検出センサ１０が配置されており、先端検出センサ１０により記録用紙Ｐの先端が検出される。詳細は後述するが、この検出後、搬送ローラ対４で挟持できる範囲で所定ライン分が送り停止させられる。この位置が記録開始時の位置となる。この位置から、色ごとにサーマルヘッド６が記録情報に応じて発熱駆動され、各色インクの所定画像が記録され、また、オーバーコート層及び特色インク層の転写も行われる。このとき、１色分の印刷が終わると、次にこの位置から記録用紙Ｐが排紙ローラ９のある方向に戻して搬送され、再び所定のライン数が戻し送りされる。記録紙先端検出センサ１０の位置と、プラテンローラ５及びサーマルヘッド６により記録用紙Ｐを押圧する位置との距離は特に限定されないが、例えば記録用紙Ｐ上の距離で２０ｍｍである。
【００４５】
また、処理回路１８に含まれるＣＰＵ４４は、記録用紙Ｐの給紙時に、最初に記録紙先端検出センサ１０で検知した記録紙の先端検出信号に基づいてステッピングモータのステップ数を管理する。また、ＣＰＵ４４は、記録用紙Ｐの搬送時における位置関係に基づいてステッピングモータの回転駆動のステップ数を全印刷記録時において管理する。このようにして、記録位置管理が行われる。
【００４６】
なお、各ＹＭＣ色、オーバーコート層及び特色インク層の転写記録時において、記録紙先端部に検出センサを設けて記録紙の先端検出を行い、その信号を基準としてステッピングモータの回転駆動のステップ数を管理することにより、記録位置管理を行ってもよい。
【００４７】
また、印刷途中の記録紙Ｐはプリンタ４０の後方に設けられたスリット２９を通して外部へ露出し、後方に抱えられた脱着可能な電池３０の下方の記録紙後端端部２８まで搬送される。
【００４８】
また、オーバーコート層の転写の制御は、サーマルヘッド６の発熱駆動のＯＮ／ＯＦＦのみに限定されない。例えば、オーバーコート層の転写開始時では、徐々に発熱量を増加させ、また、オーバーコート層の転写終了時には、徐々に発熱量を減少させる制御を加えてもよい。但し、このような発熱を伴う動作によってプリンタ４０が過熱しすぎると、所定の性能が引き出されないことがありえる。特に、サーマルヘッド６の近傍又は取り付け部品であるヘッドアーム２２が蓄熱していると、印刷のための過熱制御に異常が生じることもありえる。このため、ファン２１を設け、サーマルヘッド６の近傍が所定の温度を上回った場合にはファン２１を回して空冷することが好ましい。
【００４９】
次に、プリンタ４０の動作について説明する。図６は、本発明の第１の実施形態に係るプリンタ４０の動作を示すフローチャートである。なお、以下に示すプリンタ４０の動作は、主にＣＰＵ４４により、印刷装置用のプログラムに基づいて制御される。
【００５０】
先ず、デジタルカメラ３１がプリンタ４０に接続されると（ステップＳ１）、ＣＰＵ４４が、ケーブル３８を介してデジタルカメラ３１にプリンタ情報を送信する（ステップＳ２）。プリンタ情報には、例えば、用紙の種類、カートリッジの種類、電源の状態等が含まれる。また、ＣＰＵ４４は、デジタルカメラ３１との間でのプリントに必要な諸条件の確認や、必要に応じて画像情報の印刷情報への画像処理も行う。なお、デジタルカメラ３１が、プリンタ４０の機種等に応じた処理を行ってもよい。この場合には、例えば、デジタルカメラ３１が、その画素数及びプリンタ４０におけるプリントサイズに基づくリサイズ処理を更に行い、その後にプリンタ４０へ画像情報を送出すればよい。
【００５１】
その後、ＣＰＵ４４が、デジタルカメラ３１によってステップＳ１７においてインターフェース４３を介して転送（送信）された合成後の３色分の画像データ及び制御情報（図１４）を受信すると、これらを内部記憶部４５に保存する（ステップＳ３）。
【００５２】
続いて、ＣＰＵ４４が、画像印刷部４１に印刷を実行させる（ステップＳ４）。この印刷に当たり、画像印刷部４１は、内部記憶部４５に記憶されているフレーム識別ＩＤを参照し、このフレーム識別ＩＤで表わされている部分をフレームと判断し、この部分を白抜きにする。他の部分においては、画像印刷部４１は、受信した色データに合わせた階調で印刷を行う。特色インクにより印刷を行う場合には、特色インクの下の画像が透けてしまう可能性があるため、白抜処理を行う。フレーム識別ＩＤが０の場合は、フレーム部分が既に白抜きされているので、白抜きする必要はない。また、黒を印刷した上に特色インクを印刷した方が特色インクが映えるような場合は、白抜きせずフレーム識別ＩＤが割り当てられている部分を階調２５５のデータに各色変換して、黒で印刷されるようにしてもよい。
【００５３】
ここで、画像印刷部４１の動作について説明する。図７は、画像印刷部４１の動作を示すフローチャートである。画像印刷部４１は、主にＣＰＵ４４により印刷制御される。
【００５４】
先ず、ステップＳ４０１において、ＣＰＵ４４による制御に基づいて、給紙ローラ３に連結されたステッピングモータ（図示せず）が駆動して給紙ローラ３を回転させることにより、記録用紙Ｐの給紙を開始する。
【００５５】
次いで、ステップＳ４０２において、先端検出センサ１０が記録用紙Ｐの先端を検出すると、ＣＰＵ４４による制御に基づいて、給紙ローラ３に連結されたステッピングモータ（図示せず）が所定ステップ分回転し、印刷を開始する。このとき、印刷開始位置は、例えば、記録用紙Ｐの先端から１２．４６５ｍｍとする。
【００５６】
その後、ステップＳ４０３において、ＣＰＵ４４による制御に基づいて、ステッピングモータが数ステップ分回転しながら、サーマルヘッド６が発熱駆動され、１ライン分の印刷が行われる。ここでは、一例としてサーマルヘッド６による１ライン分の記録ピッチが８５μｍであるとし、記録用紙Ｐを１ライン分搬送するためのステッピングモータのステップ数が４ステップであるとする。また、一例として、記録用紙Ｐの印刷範囲を搬送方向において１４４ｍｍであるとする。この場合、ステッピングモータを４ステップで回転制御することにより、記録用紙Ｐを１ライン（すなわち８５μｍ）分だけ搬送することができることとなる。また、１６９４ライン分の印刷が可能であり、記録用紙Ｐをこの分だけ搬送するためには、ステッピングモータを６７７６ステップ分回転させることとなる。従って、ステッピングモータの６７７６ステップ分（１６９４ライン分）の回転が完了すると、印刷が終了する。また、このときの印刷終了位置は、例えば、記録用紙Ｐの先端から１５６．４５５ｍｍとなる。
【００５７】
続いて、ステップＳ４０４において、ＣＰＵ４４による制御に基づいて、停止に至るまでの減速のためにステッピングモータが１０ライン分（４０ステップ分）程回転し、その後、停止する。
【００５８】
次いで、ステップＳ４０５において、ＣＰＵ４４による制御に基づいて、ステッピングモータが逆回転し、記録用紙Ｐが印刷時とは逆方向に搬送される。例えば、所定のステップ数（６７７６ステップ−減速分）だけ逆回転し、更に減速のために所定のライン数の１０ライン分（４０ステップ分）程回転し、その後、停止する。
【００５９】
このようにして１色分の色データの印刷が行われる（ステップＳ４）。ＣＰＵ４４は、ステップＳ４の１色分の色データの印刷が終了するごとに、３色分の色データの印刷が終了したか判断する（ステップＳ５）。そして、３色分の印刷が終了していない場合には、ステップＳ４の処理を繰り返す。
【００６０】
一方、３色分の印刷が終了している場合には、ＣＰＵ４４による制御に基づいて、印刷面保護のためのオーバーコート層が１回転写される（ステップＳ６）。
【００６１】
次いで、画像処理部４２が、各色の画像データからフレーム識別ＩＤが割り当てられている部分を抽出し、フレームデータを生成する（ステップＳ７）。
【００６２】
その後、ＣＰＵ４４による制御に基づいて、画像印刷部４１が、例えば特色インク層を用いてフレームの印刷を行う（ステップＳ８）。そして、ステッピングモータの駆動によって記録用紙Ｐが排出ローラ９へ導かれ、排出ローラ９の駆動によって記録用紙Ｐが排出されて一連の動作が終了する。
【００６３】
続いて、ＣＰＵ４４が、印刷を終了したことを示す通知をデジタルカメラ３１に対して行う（ステップＳ９）。
【００６４】
このようにして、デジタルカメラ３１において作成されたフレームデータを含む画像データのプリンタ４０による印刷が行われる。
【００６５】
このような印刷方法によれば、例えば、撮像された画像が図８に示すものであり、選択及び決定されたフレームが図９に示すものである場合、プリンタ４０による３色の印刷後に記録用紙Ｐに記録されている画像は図１０に示すものとなる。なお、図１０において黒く塗りつぶしてある部分は、白抜きにされている。そして、この白抜きにされている部分に、ステップＳ８において、特色インク層等を用いたフレームの印刷が行われるのである。
【００６６】
また、例えば、撮像された画像が図１１に示すものであり、選択及び決定されたフレームが図１２に示すものである場合には、プリンタ４０による３色の印刷後に記録用紙Ｐに記録されている画像は図１３に示すものとなる。そして、白抜きにされている部分に、ステップＳ８において、特色インク層等を用いたフレームの印刷が行われる。
【００６７】
このような第１の実施形態によれば、従来のものであれば、色の階調を表現するところに階調データとは異なる数値がフレーム識別ＩＤとして割り当てられているので、フレームデータを容易に識別することができる。そして、色データ中にフレーム識別ＩＤがあれば、その場所がフレームであると容易に判断することが可能となる。従って、このようなフレーム識別ＩＤを使用することにより、撮像された画像のデータ及びフレームデータを一度にデジタルカメラ３１からプリンタ４０へ転送することができる。特に、特色インクは下の色が透けやすい。そのため、特色インクを印刷する部分は白抜き処理や特定の色に変換する処理をしたほうが特色インクの色がきれいに見えるようになる。本実施形態のように、デジタルカメラ側で特色インクを印刷するフレーム部分を、特定の色データに変換してから、データをプリンタに送ることにより、プリンタは下地処理を行わずに、印刷できる。また、プリンタは送られたデータから特色インクを印刷するフレーム部分のフレームデータを生成できるので、特色インク用のフレームデータを送信しなくてもフレーム印刷が可能となる。
【００６８】
（第２の実施形態）
次に、本発明の第２の実施形態について説明する。第２の実施形態は基本的には第１の実施形態と同様の処理を行う。第１の実施形態では、デジタルカメラ３１及びプリンタ４０に予め同一のフレーム識別ＩＤが付与されているが、第２の実施形態では、デジタルカメラ３１及びプリンタ４０が各自でフレームデータに割り当てられるフレーム識別ＩＤを判断する。なお、フレーム識別ＩＤとして用いられることがある複数の値が予め付与されていることとする。例えば、フレーム識別ＩＤとして用いられることがある値として、「０」及び「２５５」が両者に付与されていることとする。そして、本実施形態では、詳細は後述するが、デジタルカメラ３１及びプリンタ４０の夫々が、画像データから画像の明るさを判別し、この結果に応じてフレーム識別ＩＤがどちらであるかを判断する。
【００６９】
図１５は、本発明の第２の実施形態におけるデジタルカメラ３１からプリンタ４０への画像データの送信方法を示すフローチャートである。
【００７０】
先ず、第１の実施形態と同様にして、ステップＳ１１からステップＳ１５までの処理が行われる。
【００７１】
次いで、ＣＰＵ３２が、ＹＭＣの各色データの平均値を求め、この平均値からフレーム識別ＩＤを決定する（ステップＳ３１）。例えば、平均値が有効階調数の半分よりも大きい場合には、「０」の色データをフレーム識別ＩＤとして使用することとし、半分以下である場合には、「２５５」の色データをフレーム識別ＩＤとして使用することとする。また、これに伴い、フレーム識別ＩＤとの混同を避けるために、「０」の色データをフレーム識別ＩＤとして使用する場合には、画像処理部３６が、階調データが「０」となっていた部分については、階調データを「１」に変更する。同様に、「２５５」の色データをフレーム識別ＩＤとして使用する場合には、ＣＰＵ３２が、階調データが「２５５」となっていた部分については、階調データを「２５４」に変更する。
【００７２】
その後、画像処理部３６が、第１の実施形態と同様にして、ＹＭＣデータと、ステップＳ１３において決定されたフレームに該当するフレームデータとを合成する（ステップＳ１６）。
【００７３】
続いて、ＣＰＵ３２が、色データの平均値を再計算して、正しいフレーム識別ＩＤを算出できるか確認する（ステップＳ３２）。この確認に当たっては、フレーム識別ＩＤの候補である「０」及び「２５５」以外の数値の平均値を再計算する。例えば、有効階調数が２５６で、合成前の色データが「２００，２３３，１８０，１８０，１９７，１９９，１６０，１５３，１１０，９８」で、合成するフレームデータが「０，２０，２０，０，０，０，０，０，０，０」であるとする。この例において、合成前の色データの平均値は「１７１」となる。この数値は有効階調数の半分「１２８」よりも大きいため、ステップＳ３１において、フレーム識別ＩＤとして「０」が用いられることとなる。この結果、ステップＳ１６の合成後の色データは「２００，０，０，１８０，１９７，１９９，１６０，１５３，１１０，９８」となる。この場合、ステップＳ３２では、フレーム識別ＩＤである「０」以外の値の平均値を算出することとなり、「１６２」という値が得られる。この結果から、フレーム識別ＩＤとして「０」を用いることに誤りがないことが確認できる。なお、合成するフレームデータ中の「２０」は、フレームの存在を示しており、この値は任意である。
【００７４】
その後のステップＳ１７以降の処理は第１の実施形態と同様である。
【００７５】
図１６は、本発明の第２の実施形態に係るプリンタ４０の動作を示すフローチャートである。
【００７６】
先ず、第１の実施形態と同様にして、ステップＳ１からステップＳ３までの処理が行われる。
【００７７】
次いで、ＣＰＵ４４が、内部記憶部４５に記憶されたＹＭＣの各色データの平均値を求め、この平均値から、ＣＰＵ３２と同様の規則に則って、フレーム識別ＩＤを決定する（ステップＳ３６）。例えば、平均値が有効階調数の半分よりも大きい場合には、「０」の色データをフレーム識別ＩＤとして使用することとし、半分以下である場合には、「２５５」の色データをフレーム識別ＩＤとして使用することとする。また、これに伴い、フレーム識別ＩＤとの混同を避けるために、「０」の色データをフレーム識別ＩＤとして使用する場合には、ＣＰＵ４４が、階調データが「０」となっていた部分については、階調データを「１」に変更する。同様に、「２５５」の色データをフレーム識別ＩＤとして使用する場合には、ＣＰＵ４４が、階調データが「２５５」となっていた部分については、階調データを「２５４」に変更する。
【００７８】
その後のステップＳ４以降の処理は第１の実施形態と同様である。
【００７９】
また、他の構成等は第１の実施形態と同様である。
【００８０】
このような第２の実施形態によれば、画像のデータに濃い色が多く含まれている場合には、階調０の色データがフレーム識別ＩＤとして用いられ、画像のデータに薄い色が多く含まれている場合には、階調２５５の色データがフレーム識別ＩＤとして用いられる。この結果、画像のデータに含まれている色データとフレーム識別ＩＤとして用いられる色データとが重複することが稀になる。従って、撮像された画像のデータを２５６階調から２５５階調に変換したとしても、色の変化はほとんど生じない。
【００８１】
（第３の実施形態）
次に、本発明の第３の実施形態について説明する。第２の実施形態では、予めフレーム識別ＩＤとして用いられる可能性がある２種類の値がデジタルカメラ３１及びプリンタ４０に予め付与されているが、第３の実施形態では、図１４に示す制御情報にフレーム識別ＩＤを含ませる。
【００８２】
図１７は、本発明の第３の実施形態におけるデジタルカメラ３１からプリンタ４０への画像データの送信方法を示すフローチャートである。
【００８３】
先ず、第１の実施形態と同様にして、ステップＳ１１からステップＳ１５までの処理が行われる。
【００８４】
次いで、ＣＰＵ３２が、ＹＭＣの各色データの平均値を求め、この平均値からフレーム識別ＩＤを決定する（ステップＳ４１）。例えば、平均値が有効階調数の半分よりも大きい場合には、「０」の色データをフレーム識別ＩＤとして使用することとし、半分以下である場合には、「２５５」の色データをフレーム識別ＩＤとして使用することとする。また、これに伴い、フレーム識別ＩＤとの混同を避けるために、「０」の色データをフレーム識別ＩＤとして使用する場合には、画像処理部３６が、階調データが「０」となっていた部分については、階調データを「１」に変更する。同様に、「２５５」の色データをフレーム識別ＩＤとして使用する場合には、ＣＰＵ３２が、階調データが「２５５」となっていた部分については、階調データを「２５４」に変更する。なお、本実施形態では、上述のようにフレーム識別ＩＤとして用いられる値が限定されていないため、階調データとして用いられる値であれば、「０」及び「２５５」以外の値を用いてもよい。
【００８５】
その後、第１の実施形態と同様にして、ステップＳ１６からステップＳ１８までの処理が行われる。
【００８６】
続いて、ＣＰＵ３２が、ステップＳ４１において決定したフレーム識別ＩＤを含む制御情報をプリンタ４０に送信する（ステップＳ４２）。
【００８７】
その後のステップＳ２０以降の処理は第１の実施形態と同様である。
【００８８】
図１８は、本発明の第３の実施形態に係るプリンタ４０の動作を示すフローチャートである。
【００８９】
先ず、第１の実施形態と同様にして、ステップＳ１からステップＳ３までの処理が行われる。
【００９０】
次いで、ＣＰＵ４４が、画像印刷部４１に印刷を実行させる（ステップＳ４６）。この印刷に当たり、画像印刷部４１は、ステップＳ４２でデジタルカメラから取得した制御情報に含まれるフレーム識別ＩＤの情報を参照し、このフレーム識別ＩＤで表されている部分をフレームと判断する。この部分に白抜き処理をしても良いし、フレーム識別ＩＤに階調０が割り当てられている場合は既に白データとなっているので、そのまま印刷してもよい。他の部分においては、画像印刷部４１は、受信した色データに合わせた階調で印刷を行う。
【００９１】
その後のステップＳ５以降の処理は第１の実施形態と同様である。
【００９２】
また、他の構成等は第１の実施形態と同様である。
【００９３】
このような第３の実施形態によれば、デジタルカメラ３１とプリンタ４０との間で通信される制御情報（図１４）を利用し、この制御情報にフレーム識別ＩＤを乗せ、予めデジタルカメラ３１からプリンタ４０へフレーム識別ＩＤが通知される。そして、このように、フレーム識別ＩＤをプリンタ４０に通知しておくことで、第２の実施形態のようなプリンタ４０側でのフレーム識別ＩＤを識別するためのＹＭＣ色データの計算処理を不要として、より簡素な処理を実現することができる。
【００９４】
（第４の実施形態）
次に、本発明の第４の実施形態について説明する。第２の実施形態では、フレーム識別ＩＤとして使用可能な値が２種に限定されているが、第４の実施形態では、より多種の値をフレーム識別ＩＤとして使用可能としている。例えば、フレーム識別ＩＤとして用いられることがある値として、「０」、「５０」、「２００」及び「２５５」が両者に付与されていることとする。そして、本実施形態では、詳細は後述するが、デジタルカメラ３１及びプリンタ４０の夫々が、画像データから画像の明るさを判別し、この結果に応じてフレーム識別ＩＤがどちらであるかを判断する。
【００９５】
図１９は、本発明の第４の実施形態におけるデジタルカメラ３１からプリンタ４０への画像データの送信方法を示すフローチャートである。
【００９６】
先ず、第１の実施形態と同様にして、ステップＳ１１からステップＳ１５までの処理が行われる。
【００９７】
次いで、ＣＰＵ３２が、ＹＭＣの各色データの平均値を求め、この平均値からフレーム識別ＩＤを決定する（ステップＳ５１）。このとき、平均値が０以上６３未満であれば、「２５５」の色データをフレーム識別ＩＤとして用いることとする。また、平均値が６３以上１２７未満であれば、「２００」の色データをフレーム識別ＩＤとして用いることとする。また、平均値が１２７以上１９１未満であれば、「５０」の色データをフレーム識別ＩＤとして用いることとする。そして、平均値が１９１以上２５５以下であれば、「０」の色データをフレーム識別ＩＤとして用いることとする。即ち、有効階調数をフレーム識別ＩＤの候補の数に分割し、候補となっているフレーム識別ＩＤを、分割した階調の範囲に夫々割り当てておき、平均値に応じてフレーム識別ＩＤとして用いる値を決定する。また、これに伴い、フレーム識別ＩＤとの混同を避けるために、「０」の色データをフレーム識別ＩＤとして使用する場合には、ＣＰＵ３２が、階調データが「０」となっていた部分については、階調データを「１」に変更する。同様に、「５０」の色データをフレーム識別ＩＤとして使用する場合には、ＣＰＵ３２が、階調データが「５０」となっていた部分については、階調データを「５１」に変更する。また、「２００」の色データをフレーム識別ＩＤとして使用する場合には、ＣＰＵ３２が、階調データが「２００」となっていた部分については、階調データを「２０１」に変更する。また、「２５５」の色データをフレーム識別ＩＤとして使用する場合には、ＣＰＵ３２が、階調データが「２５５」となっていた部分については、階調データを「２５４」に変更する。なお、「５０」の色データをフレーム識別ＩＤとして使用する場合に、ＣＰＵ３２が、階調データが「５０」となっていた部分については、階調データを「４９」に変更してもよい。また、「２００」の色データをフレーム識別ＩＤとして使用する場合に、ＣＰＵ３２が、階調データが「２００」となっていた部分については、階調データを「１９９」に変更してもよい。
【００９８】
その後、画像処理部３６が、第１の実施形態と同様にして、ＹＭＣデータと、ステップＳ１３において決定されたフレームに該当するフレームデータとを合成する（ステップＳ１６）。
【００９９】
続いて、ＣＰＵ３２が、色データの平均値を再計算して、正しいフレーム識別ＩＤを算出できるか確認する（ステップＳ５２）。この確認に当たっては、フレーム識別ＩＤの候補である「０」、「５０」、「２００」及び「２５５」以外の数値の平均値を再計算する。例えば、有効階調数が２５６のとき、合成前の色データが「２００，２３３，１８０，１８０，１９７，１９９，１６０，１５３，１１０，９８」で、合成するフレームデータが「０，２０，２０，０，０，０，０，０，０，０」であるとする。この例において、合成前の色データの平均値は「１７１」となる。この数値は「１２７以上１９１未満」の範囲内にあるため、ステップＳ５１において、フレーム識別ＩＤとして「５０」が用いられることとなる。この結果、ステップＳ１６の合成後の色データは「２００，５０，５０，１８０，１９７，１９９，１６０，１５３，１１０，９８」となる。この場合、ステップＳ５２では、フレーム識別ＩＤである「５０」以外の値の平均値を算出することとなり、「１６２」という値が得られる。この結果から、フレーム識別ＩＤとして「５０」を用いることに誤りがないことが確認できる。
【０１００】
その後のステップＳ１７以降の処理は第１の実施形態と同様である。
【０１０１】
図２０は、本発明の第４の実施形態に係るプリンタ４０の動作を示すフローチャートである。
【０１０２】
先ず、第１の実施形態と同様にして、ステップＳ１からステップＳ３までの処理が行われる。
【０１０３】
次いで、ＣＰＵ４４が、内部記憶部４５に記憶されたＹＭＣの各色データの平均値を求め、この平均値から、ＣＰＵ３２と同様の規則に則って、フレーム識別ＩＤを決定する（ステップＳ３６）。例えば、平均値が０以上６３未満であれば、「２５５」の色データをフレーム識別ＩＤとして用いることとする。また、平均値が６３以上１２７未満であれば、「２００」の色データをフレーム識別ＩＤとして用いることとする。また、平均値が１２７以上１９１未満であれば、「５０」の色データをフレーム識別ＩＤとして用いることとする。そして、平均値が１９１以上２５５以下であれば、「０」の色データをフレーム識別ＩＤとして用いることとする。また、これに伴い、フレーム識別ＩＤとの混同を避けるために、「０」の色データをフレーム識別ＩＤとして使用する場合には、ＣＰＵ４４が、階調データが「０」となっていた部分については、階調データを「１」に変更する。同様に、「５０」の色データをフレーム識別ＩＤとして使用する場合には、ＣＰＵ４４が、階調データが「５０」となっていた部分については、階調データを「５１」に変更する。また、「２００」の色データをフレーム識別ＩＤとして使用する場合には、ＣＰＵ４４が、階調データが「２００」となっていた部分については、階調データを「２０１」に変更する。また、「２５５」の色データをフレーム識別ＩＤとして使用する場合には、ＣＰＵ４４が、階調データが「２５５」となっていた部分については、階調データを「２５４」に変更する。なお、「５０」の色データをフレーム識別ＩＤとして使用する場合に、ＣＰＵ４４が、階調データが「５０」となっていた部分については、階調データを「４９」に変更してもよい。また、「２００」の色データをフレーム識別ＩＤとして使用する場合に、ＣＰＵ４４が、階調データが「２００」となっていた部分については、階調データを「１９９」に変更してもよい。
【０１０４】
その後のステップＳ４以降の処理は第１の実施形態と同様である。
【０１０５】
また、他の構成等は第１の実施形態と同様である。
【０１０６】
このような第４の実施形態によれば、より細かく有効階調数を分割しているため、より適切なフレーム識別ＩＤを用いることができる。つまり、より画像の濃淡に合わせた制御が可能となる。
【０１０７】
なお、第２の実施形態では２種類の値が予め定められており、第４の実施形態では、４種類の値が予め定められているが、２種類以上の値が予め定められていれば、画像の濃淡に合わせた制御が可能となる。
【０１０８】
（第５の実施形態）
次に、本発明の第３の実施形態について説明する。第４の実施形態では、予めフレーム識別ＩＤとして用いられる可能性がある４種類の値がデジタルカメラ３１及びプリンタ４０に予め付与されているが、第５の実施形態では、図１４に示す制御情報にフレーム識別ＩＤを含ませる。
【０１０９】
図２１は、本発明の第５の実施形態におけるデジタルカメラ３１からプリンタ４０への画像データの送信方法を示すフローチャートである。
【０１１０】
先ず、第１の実施形態と同様にして、ステップＳ１１からステップＳ１５までの処理が行われる。
【０１１１】
次いで、ＣＰＵ３２が、ＹＭＣの各色データの平均値を求め、この平均値からフレーム識別ＩＤを決定する（ステップＳ４１）。例えば、平均値が０以上６３未満であれば、「２５５」の色データをフレーム識別ＩＤとして用いることとする。また、平均値が６３以上１２７未満であれば、「２００」の色データをフレーム識別ＩＤとして用いることとする。また、平均値が１２７以上１９１未満であれば、「５０」の色データをフレーム識別ＩＤとして用いることとする。そして、平均値が１９１以上２５５以下であれば、「０」の色データをフレーム識別ＩＤとして用いることとする。また、これに伴い、フレーム識別ＩＤとの混同を避けるために、「０」の色データをフレーム識別ＩＤとして使用する場合には、ＣＰＵ３２が、階調データが「０」となっていた部分については、階調データを「１」に変更する。同様に、「５０」の色データをフレーム識別ＩＤとして使用する場合には、ＣＰＵ３２が、階調データが「５０」となっていた部分については、階調データを「５１」に変更する。また、「２００」の色データをフレーム識別ＩＤとして使用する場合には、ＣＰＵ３２が、階調データが「２００」となっていた部分については、階調データを「２０１」に変更する。また、「２５５」の色データをフレーム識別ＩＤとして使用する場合には、ＣＰＵ３２が、階調データが「２５５」となっていた部分については、階調データを「２５４」に変更する。なお、「５０」の色データをフレーム識別ＩＤとして使用する場合に、ＣＰＵ３２が、階調データが「５０」となっていた部分については、階調データを「４９」に変更してもよい。また、「２００」の色データをフレーム識別ＩＤとして使用する場合に、ＣＰＵ３２が、階調データが「２００」となっていた部分については、階調データを「１９９」に変更してもよい。
【０１１２】
その後、第１の実施形態と同様にして、ステップＳ１６からステップＳ１８までの処理が行われる。
【０１１３】
続いて、ＣＰＵ３２が、ステップＳ６１において決定したフレーム識別ＩＤを含む制御情報をプリンタ４０に送信する（ステップＳ６２）。
【０１１４】
その後のステップＳ２０以降の処理は第１の実施形態と同様である。
【０１１５】
図２２は、本発明の第５の実施形態に係るプリンタ４０の動作を示すフローチャートである。
【０１１６】
先ず、第１の実施形態と同様にして、ステップＳ１からステップＳ３までの処理が行われる。
【０１１７】
次いで、ＣＰＵ４４が、画像印刷部４１に印刷を実行させる（ステップＳ６６）。この印刷に当たり、画像印刷部４１は、ステップＳ３において制御情報に含まれており、内部記憶部４５に記憶されたフレーム識別ＩＤを参照し、このフレーム識別ＩＤで表わされている部分をフレームと判断する。この部分に白抜き処理をしてもよいし、フレーム識別ＩＤに階調０が割り当てられている場合は既に白データとなっているので、そのまま印刷してもよい。他の部分においては、画像印刷部４１は、受信した色データに合わせた階調で印刷を行う。
【０１１８】
その後のステップＳ５以降の処理は第１の実施形態と同様である。
【０１１９】
また、他の構成等は第１の実施形態と同様である。
【０１２０】
このような第５の実施形態によれば、デジタルカメラ３１とプリンタ４０との間で通信される制御情報（図１４）を利用し、この制御情報にフレーム識別ＩＤを乗せ、予めデジタルカメラ３１からプリンタ４０へフレーム識別ＩＤが通知される。そして、このように、フレーム識別ＩＤをプリンタ４０に通知しておくことで、第４の実施形態のようなプリンタ４０側でのフレーム識別ＩＤを識別するためのＹＭＣ色データの計算処理を不要として、より簡素な処理を実現することができる。
【０１２１】
第２〜第４の実施形態では、階調の平均値を求め、これに基づいてフレーム識別ＩＤとして用いる色データを決定しているが、撮像された画像のデータに含まれていない色データのいずれかをフレーム識別ＩＤとして用いることとしてもよい。
【０１２２】
また、ＹＭＣの色データ毎に、フレームデータを決定してもよい。
【０１２３】
なお、プリンタ４０では、ＹＭＣ３色を３回面順次で記録するため、各色の記録先端を正確に合致させることが極めて好ましい。このためには、搬送ローラ対４で記録用紙Ｐを離さずにしっかり挟持し搬送を行うことが好ましい。従って、記録用紙Ｐの送り方向の端部には記録不可能な余白部を設けておくことが好ましい。そこで、最終的に、容易に、縁のない印刷物を得るために、図２３に示すように、記録用紙Ｐには、ミシン目１２を設けておくことが好ましい。ミシン目１２を設けておくことにより、記録開始時に搬送ローラ対４でしっかり挟持され、かつ記録できない余白部分１３を、印刷後に容易に素手で切取ることが可能となる。この場合、例えば、ミシン目１２を含む領域にオーバーコート層が転写される。また、図２３において、左下がり斜線で示す印刷領域１７に、ミシン目１２が含まれるように、ＣＰＵ４４は画像印刷部４１を制御する。そして、オーバーコート層は印刷領域１７よりやや広い領域に転写される。
【０１２４】
また、フレームに用いられる色は、２色以上であってもよい。この場合には、２種類のフレーム識別ＩＤを用いればよい。また、フレームの色に用いられる色はゴールド、シルバー、メタリック及び蛍光色等の特殊色である必要はなく、赤色、青色、黄色等が用いられてもよい。
【０１２５】
また、フレーム識別ＩＤをデジタルカメラ３１等の画像処理装置からプリンタ４０等の印刷装置に送信する場合、フレーム識別ＩＤを図１４に示すように制御情報に含ませる必要はない。例えば、画像データのヘッダに含ませてもよい。
【０１２６】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【０１２７】
【図１】本発明の第１の実施形態に係るプリンタ及びこれに画像データを送信するデジタルカメラの構成を示すブロック図である。
【図２】デジタルカメラ３１の表示部及び操作部を示す模式図である。
【図３】デジタルカメラ３１において作成される画像データの構造を示す模式図である。
【図４】本発明の第１の実施形態におけるデジタルカメラ３１からプリンタ４０への画像データの送信方法を示すフローチャートである。
【図５】本発明の第１の実施形態に係るプリンタ４０の構成を示すブロック図である。
【図６】本発明の第１の実施形態に係るプリンタ４０の動作を示すフローチャートである。
【図７】画像印刷部４１の動作を示すフローチャートである。
【図８】撮像された画像の例を示す模式図である。
【図９】フレームの例を示す模式図である。
【図１０】記録用紙Ｐに記録されている画像の例を示す模式図である。
【図１１】撮像された画像の他の例を示す模式図である。
【図１２】フレームの他の例を示す模式図である。
【図１３】記録用紙Ｐに記録されている画像の他の例を示す模式図である。
【図１４】制御情報の構造を示す模式図である。
【図１５】本発明の第２の実施形態におけるデジタルカメラ３１からプリンタ４０への画像データの送信方法を示すフローチャートである。
【図１６】本発明の第２の実施形態に係るプリンタ４０の動作を示すフローチャートである。
【図１７】本発明の第３の実施形態におけるデジタルカメラ３１からプリンタ４０への画像データの送信方法を示すフローチャートである。
【図１８】本発明の第３の実施形態に係るプリンタ４０の動作を示すフローチャートである。
【図１９】本発明の第４の実施形態におけるデジタルカメラ３１からプリンタ４０への画像データの送信方法を示すフローチャートである。
【図２０】本発明の第４の実施形態に係るプリンタ４０の動作を示すフローチャートである。
【図２１】本発明の第５の実施形態におけるデジタルカメラ３１からプリンタ４０への画像データの送信方法を示すフローチャートである。
【図２２】本発明の第５の実施形態に係るプリンタ４０の動作を示すフローチャートである。
【図２３】記録用紙Ｐの例を示す模式図である。
【符号の説明】
【０１２８】
２：用紙カセット
３：給紙ローラ
４：搬送ローラ対
４−１：グリップローラ
４−２：ピンチローラ
５：プラテンローラ
６：サーマルヘッド
７：インクカセット
７−１：巻取側
７−２：供給側
８：インクシート
９：排紙ローラ
１０：記録紙先端検出センサ
１２：ミシン目
１３：余白部
１４：用紙押さえバネ
１５：ガイド部
１６：搬送経路切替シート
１７：印画領域
１８：処理回路
１９：バネ
２０：押上げ板
２１：ファン
２２：ヘッドアーム
２６：排紙トレイ部
２８：記録用紙後端部
２９：スリット
３０：電池
Ｐ：記録用紙
Ｐ１：記録開始位置
３１：デジタルカメラ
３２：ＣＰＵ
３３：内部記憶部
３４：外部記憶部
３５：画像処理部
３６：インターフェース
３７：システム・バス
３８：ケーブル
４０：プリンタ
４１：画像印刷部
４２：画像処理部
４３：インターフェース
４４：ＣＰＵ
４５：内部記憶部
４６：外部記憶部
４７：システム・バス
【図１】
0005366376.tif 000002
【図２】
0005366376.tif 000003
【図３】
0005366376.tif 000004
【図４】
0005366376.tif 000005
【図５】
0005366376.tif 000006
【図６】
0005366376.tif 000007
【図７】
0005366376.tif 000008
【図８】
0005366376.tif 000009
【図９】
0005366376.tif 000010
【図１０】
0005366376.tif 000011
【図１１】
0005366376.tif 000012
【図１２】
0005366376.tif 000013
【図１３】
0005366376.tif 000014
【図１４】
0005366376.tif 000015
【図１５】
0005366376.tif 000016
【図１６】
0005366376.tif 000017
【図１７】
0005366376.tif 000018
【図１８】
0005366376.tif 000019
【図１９】
0005366376.tif 000020
【図２０】
0005366376.tif 000021
【図２１】
0005366376.tif 000022
【図２２】
0005366376.tif 000023
【図２３】
0005366376.tif 000024